(57)【要約】【課題】ＣＭ区間情報を始めとする番組の構成情報や重要度を示すハイライト情報は、コンテンツの制作者が最も多様でかつ高精度なデータを作成することができる。しかしながら一般にコンテンツ制作者は、そのような番組の一部だけの視聴を可能とするようなダイジェスト情報をエンドユーザーに提供することを積極的には行わない。【解決手段】コンテンツ制作者がダイジェスト情報を要求するエンドユーザーのプロファイル情報を元に個人の嗜好にあったＣＭコンテンツを作成し、さらに個人のプロファイル情報に従った番組本編のダイジェスト情報を作成する。ダイジェスト情報の提供に先立ってエンドユーザーにそのＣＭコンテンツを提供し、そのＣＭ情報の視聴を確認した上で番組本編のダイジェスト情報を提供する。【選択図】図１
2006005725.tif 000002
【特許請求の範囲】
【請求項１】
ネットワークを介して、番組コンテンツのダイジェスト情報をユーザー端末に配信する番組ダイジェスト情報提供装置であって、
番組コンテンツの本編データを蓄積する本編コンテンツ蓄積部を有する本編コンテンツサーバーと、
前記本編データのダイジェスト情報を作成するダイジェスト情報作成部と前記ダイジェスト情報作成部で作成されたダイジェスト情報を蓄積するダイジェスト情報蓄積部を有するダイジェスト情報サーバーと、
ＣＭデータの配信条件に関するデータを管理するＣＭ配信テーブル管理部と配信するＣＭデータを蓄積するＣＭコンテンツ蓄積部を有するＣＭコンテンツサーバーと、
前記ダイジェスト情報の提供を要求するユーザーのプロファイル情報を作成するユーザー情報作成部と前記ユーザーのプロファイル情報を蓄積するユーザー情報蓄積部を有するユーザー情報サーバーと、
ユーザー端末に配信するＣＭデータ及びダイジェスト情報データを作成する配信コンテンツ作成部を有するアプリケーションサーバーと、
前記配信コンテンツ作成部の出力データをネットワークに配信するためのデータ処理を行うコンテンツ配信処理部を有するコンテンツ配信サーバーと、
前記ユーザー端末からの応答要求を処理する端末要求処理部と前記ユーザー端末の動作状況を認証する端末ステイタス認証部を有するアクセスサーバーとからなることを特徴とする番組ダイジェスト情報提供装置。
【請求項２】
前記アプリケーションサーバーは、ユーザーの嗜好に関する情報を分析するユーザー情報分析部を有し、さらに前記配信コンテンツ作成部は、前記ユーザー情報分析部のユーザー嗜好の分析結果に基づいてユーザー端末に配信するＣＭデータ及びダイジェスト情報データの少なくとも一方を作成することを特徴とする請求項１記載の番組ダイジェスト情報提供装置。
【請求項３】
前記コンテンツ配信サーバーのコンテンツ配信処理部において、配信するＣＭコンテンツデータの任意の時間位置に電子透かし情報を埋め込むことを特徴とする請求項１記載の番組ダイジェスト情報提供装置。
【請求項４】
前記コンテンツ配信サーバーのコンテンツ配信処理部において、配信するＣＭコンテンツデータの内容に関するユーザーの応答を入力するデータを作成することを特徴とする請求項１記載の番組ダイジェスト情報提供装置。
【請求項５】
ネットワークを介して、番組コンテンツのダイジェスト情報をユーザー端末に配信する番組ダイジェスト情報提供方法であって、
番組コンテンツの本編データを本編コンテンツサーバーに蓄積し、
前記本編データのダイジェスト情報を作成してダイジェスト情報サーバーに蓄積し、
またＣＭコンテンツサーバーにＣＭデータの配信条件に関する管理データと配信するＣＭデータを蓄積し、
さらに前記ダイジェスト情報を提供するユーザーのプロファイル情報を作成してユーザー情報サーバーに蓄積した上で、
ユーザーからのダイジェスト情報提供の要求に対し、アプリケーションサーバーにおいてまず最初にユーザー端末に配信するＣＭデータを決定し、
前記配信が決定されたＣＭデータを、コンテンツ配信サーバーにおいてＣＭコンテンツサーバーから読み出し、ネットワークに配信するためのデータ処理を行った後ユーザー端末に配信し、
次に前記配信されたＣＭデータがユーザー端末において再生されたことを認証した上で、ダイジェスト情報サーバーから読み出したダイジェスト情報からアプリケーションサーバーにおいてユーザー端末に配信するダイジェスト情報を決定し、
前記配信が決定されたダイジェスト情報を、コンテンツ配信サーバーにおいてネットワークに配信するためのデータ処理を行った後ユーザー端末に配信することを特徴とする番組ダイジェスト情報提供方法。
【請求項６】
ユーザーの嗜好に関する情報を分析した結果に基づいてユーザー端末に配信するＣＭデータ及びダイジェスト情報データの少なくとも一方を作成することを特徴とする請求項５記載の番組ダイジェスト情報提供方法。
【請求項７】
前記コンテンツ配信サーバーのコンテンツ配信処理部において、配信するＣＭコンテンツデータの任意の時間位置に電子透かし情報を埋め込むことを特徴とする請求項５記載の番組ダイジェスト情報提供方法。
【請求項８】
前記コンテンツ配信サーバーのコンテンツ配信処理部において、配信するＣＭコンテンツデータの内容に関するユーザーの応答を入力するデータを作成することを特徴とする請求項５記載の番組ダイジェスト情報提供方法。
【発明の詳細な説明】
【技術分野】
【０００１】
本発明は、コンピュータネットワークを介して番組コンテンツのダイジェスト情報を提供するための装置または方法に関するものである。
【背景技術】
【０００２】
ＣＭ区間情報を始めとする番組の構成情報や重要度を示すハイライト情報は、コンテンツの制作者が最も多様でかつ高精度なデータを作成することができる。しかしながら一般にコンテンツ制作者は、そのような番組の一部だけの視聴を可能とするようなダイジェスト情報をコンテンツの消費者に提供することを積極的には行わない。そのため従来は、上記のような番組のダイジェスト情報は、コンテンツデータの画像や音声の特徴量などを用いエンドユーザー側の再生端末で算出していた。
【０００３】
そのような目的を実現するものとして、番組コンテンツ中のＣＭ区間をエンドユーザー側の再生端末で検出するために、番組コンテンツデータの音声信号レベルの変化によって番組の切り替わり部分を検出し、さらにこの切り替わり部分の時間間隔を求めて特定時間間隔であった場合にＣＭ区間と判定するものがある（例えば、特許文献１参照）。
【０００４】
また番組コンテンツ内容の重要度に応じて、早見再生や頭だし再生などの特殊再生を可能とするために、番組コンテンツデータの画像データの変化量を検出して番組コンテンツ内容の重要度を推定するものがある（例えば、特許文献２参照）。
【０００５】
また番組コンテンツデータの要約データを作成するために、音声データの強調区間を検出して任意の要約率での要約コンテンツ作成を可能とするものがある（例えば、特許文献３参照）。
【特許文献１】特許第２８５８７５８号公報
【特許文献２】特開２００２−１２５１９９号公報
【特許文献３】特開２００３−２５９３１１号公報
【発明の開示】
【発明が解決しようとする課題】
【０００６】
しかしながら、前記従来技術では再生端末で算出できるダイジェスト情報は算出できる情報の種類や精度において限界があり、コンテンツ制作者が作成するのと同等なダイジェスト情報を算出することは基本的に不可能であった。
【０００７】
また一方では前にも述べた通り、特に地上波テレビのように番組本編コンテンツに付随してエンドユーザーに提供するＣＭに対する広告収入によって収益を得ているテレビ局においては、例えばＣＭスキップを可能とするような番組のダイジェスト情報をコンテンツ制作者である放送局が単純に提供することは殆ど考えられない。
【０００８】
本発明は、前記従来の課題を解決するもので、特に現行の地上波テレビに代表されるような、ＣＭに対する広告収入によって収益を得てエンドユーザーには無料でコンテンツを提供しているビジネスモデルにおいて、コンテンツ制作者が作成する多様で高精度な番組ダイジェスト情報をエンドユーザーに提供できるような装置または方法を提供することを目的とする。
【課題を解決するための手段】
【０００９】
前記従来の課題を解決するために、本発明の番組ダイジェスト情報提供装置は、ネットワークを介して、番組コンテンツのダイジェスト情報をユーザー端末に配信する番組ダイジェスト情報提供装置であって、番組コンテンツの本編データを蓄積する本編コンテンツ蓄積部を有する本編コンテンツサーバーと、前記本編データのダイジェスト情報を作成するダイジェスト情報作成部と前記ダイジェスト情報作成部で作成されたダイジェスト情報を蓄積するダイジェスト情報蓄積部を有するダイジェスト情報サーバーと、ＣＭデータの配信条件に関するデータを管理するＣＭ配信テーブル管理部と配信するＣＭデータを蓄積するＣＭコンテンツ蓄積部を有するＣＭコンテンツサーバーと、前記ダイジェスト情報の提供を要求するユーザーのプロファイル情報を作成するユーザー情報作成部と前記ユーザーのプロファイル情報を蓄積するユーザー情報蓄積部を有するユーザー情報サーバーと、ユーザー端末に配信するＣＭデータ及びダイジェスト情報データを作成する配信コンテンツ作成部を有するアプリケーションサーバーと、前記配信コンテンツ作成部の出力データをネットワークに配信するためのデータ処理を行うコンテンツ配信処理部を有するコンテンツ配信サーバーと、前記ユーザー端末からの応答要求を処理する端末要求処理部と前記ユーザー端末の動作状況を認証する端末ステイタス認証部を有するアクセスサーバーとからなることを特徴とするものである。
【００１０】
また、本発明の番組ダイジェスト情報提供装置は、前記アプリケーションサーバーは、ユーザーの嗜好に関する情報を分析するユーザー情報分析部を有し、さらに前記配信コンテンツ作成部は、前記ユーザー情報分析部のユーザー嗜好の分析結果に基づいてユーザー端末に配信するＣＭデータ及びダイジェスト情報データの少なくとも一方を作成することを特徴とするものである。
【００１１】
また、本発明の番組ダイジェスト情報提供方法は、ネットワークを介して、番組コンテンツのダイジェスト情報をユーザー端末に配信する番組ダイジェスト情報提供方法であって、番組コンテンツの本編データを本編コンテンツサーバーに蓄積し、前記本編データのダイジェスト情報を作成してダイジェスト情報サーバーに蓄積し、またＣＭコンテンツサーバーにおいては、ＣＭデータの配信条件に関する管理データと配信するＣＭデータを蓄積し、さらに前記ダイジェスト情報を提供するユーザーのプロファイル情報を作成してユーザー情報サーバーに蓄積した上で、ユーザーからのダイジェスト情報提供の要求に対し、アプリケーションサーバーにおいてまず最初にユーザー端末に配信するＣＭデータを決定し、前記配信が決定されたＣＭデータを、コンテンツ配信サーバーにおいてＣＭコンテンツサーバーから読み出し、ネットワークに配信するためのデータ処理を行った後ユーザー端末に配信し、次に前記配信されたＣＭデータがユーザー端末において再生されたことを認証した上で、アプリケーションサーバーにおいてユーザー端末に配信するダイジェスト情報を決定し、前記配信が決定されたダイジェスト情報を、コンテンツ配信サーバーにおいてダイジェスト情報サーバーから読み出し、ネットワークに配信するためのデータ処理を行った後ユーザー端末に配信することを特徴とするものである。
【００１２】
また、本発明の番組ダイジェスト情報提供方法は、ユーザーの嗜好に関する情報を分析した結果に基づいてユーザー端末に配信するＣＭデータ及びダイジェスト情報データの少なくとも一方を作成することを特徴とするものである。
【発明の効果】
【００１３】
本発明の番組ダイジェスト情報提供装置及び方法によれば、エンドユーザーは個人プロファイル情報を提供し、かつ配信されたＣＭを視聴しなければ要求したダイジェスト情報を入手することはできないが、配信されたＣＭコンテンツは個人の嗜好を考慮したものであるので、エンドユーザーにとっては有益な情報として高い関心を持ってＣＭを視聴すると考えられ、その上さらに自らの嗜好を考慮した番組本編のダイジェスト情報が得られるという利点がある。
【００１４】
またＣＭコンテンツを提供するスポンサーにとっては広告効率の高い広告情報の提供方法であるのでコンテンツ制作者が提供するダイジェスト情報に対して広告料を支払うと考えられ、このことは同時にコンテンツ提供者にとってダイジェスト情報そのものが新たな広告料の収入源として見込めることができる。
【００１５】
従って、個人プロファイル情報を提供するエンドユーザーと広告料を支払うスポンサーとコンテンツを配信するコンテンツ制作者の間においてそれぞれに合理的な利点のあるビジネスモデルが成立し、現行の地上波テレビに代表されるような、ＣＭによる広告収入によって収益を得てエンドユーザーには無料でコンテンツを提供しているビジネスモデルにおいて、コンテンツ制作者が作成する多様で高精度な番組ダイジェスト情報をエンドユーザーに提供できるような装置または方法を提供することが可能となる。
【発明を実施するための最良の形態】
【００１６】
以下本発明の実施の形態について、図面を参照しながら説明する。
【００１７】
（実施の形態１）
図１は本発明の実施の形態１における番組ダイジェスト情報の提供装置及びユーザー端末のブロック図である。図１において、１０１は番組ダイジェスト情報の提供装置、１０２は公衆回線または専用回線によるネットワーク、１０３はユーザー端末であって、番組ダイジェスト情報の提供装置１０１とユーザー端末１０３はネットワーク１０２を介してデータの通信ができるものとする。
【００１８】
さらに番組ダイジェスト情報の提供装置１０１は、本編コンテンツ蓄積部１１７を有する本編コンテンツサーバー１１０と、ダイジェスト情報作成部１１８とダイジェスト情報蓄積部１１９を有するダイジェスト情報サーバー１１１と、ＣＭ配信テーブル管理部１２０とＣＭコンテンツ蓄積部１２１を有するＣＭコンテンツサーバー１１２と、ユーザー情報作成部１２４とユーザー情報蓄積部１２３を有するユーザー情報サーバー１１３と、配信コンテンツ作成部１２６とユーザー情報分析部１２７を有するアプリケーションサーバー１１５と、コンテンツ配信処理部１２５を有するコンテンツ配信サーバー１１４と、端末要求処理部１２８と端末ステイタス認証部１２９を有するアクセスサーバー１１６からなるものである。
【００１９】
またユーザー端末１０３は、システム制御部１３０と、コンテンツ再生部１３１とコンテンツ蓄積部１３２とユーザー操作情報処理部１３３とネットワークＩＦ部１３４からなるものである。
【００２０】
その動作の概要は、システム制御部１３０の制御のもと、ネットワークＩＦ部１３４によってネットワーク１０２を介した外部装置とのコンテンツデータ及び処理コマンドなどを送受信できる通信機能を有し、またネットワークＩＦ部１３４から受信したＣＭ及び本編コンテンツデータを再生するための映像表示、音響再生を行うコンテンツ再生部１３１と、必要に応じてＣＭ及び本編コンテンツデータをユーザー端末１０３内に蓄積するためのコンテンツ蓄積部１３２も備えている。またコマンドの入力やコンテンツ再生動作の制御のためのユーザー操作は、適切なユーザーインターフェイスを備えたユーザー操作情報処理部１３３においてユーザーの操作情報を入力し、システム制御部１３０の制御のもとデータ処理されるものである。尚ユーザー端末１０３は、以下に説明する本発明の動作を行うに支障のない上記以外の機能を有してもよいものとする。
【００２１】
次に、本発明の番組ダイジェスト情報提供装置の動作について、図２に示す動作フローに従って説明する。
【００２２】
まず最初に、本編コンテンツデータを本編コンテンツ蓄積部１１７に蓄積し、本編コンテンツサーバー１１０に登録する（Ｓ３１）。本編コンテンツデータは、番組コンテンツの制作者によって然るべき通常の手段及び方法で制作されるもので、その制作手段や制作方法については本発明の構成において制約するものではない。
【００２３】
次に、ＣＭコンテンツデータをＣＭコンテンツ蓄積部１２１に蓄積し、ＣＭコンテンツサーバー１１２に登録する（Ｓ３２）。ＣＭコンテンツデータについても本編コンテンツデータと同様にその制作手段や制作方法については本発明の構成において制約するものではない。
【００２４】
次に登録されたＣＭコンテンツデータ毎に、ＣＭ配信テーブルを作成しＣＭ配信テーブル管理部１２０において蓄積し管理する（Ｓ３３）。
【００２５】
ＣＭ配信テーブルは、ＣＭを付随させる本編コンテンツデータやＣＭの商品ジャンルやスポンサー名などのＣＭの配信条件に関するデータを記述したものである。図４にＣＭ配信テーブルの例を示す。図４においてＣＭを識別するＣＭＩＤがＣＭ００１のＣＭは、コンテンツＩＤがＣｎｔ０００１とＣｎｔ０００２の本編コンテンツに付随して配信され、またＣＭで宣伝する商品のジャンルは車で、このＣＭを提供しているスポンサーはＡ社であることが示されている。尚、ＣＭ配信テーブルに記述されるデータは、図４に示す項目内容に限定されるものではなく上記以外のデータが記述されてもよいものとする。
【００２６】
さらに、本発明の番組ダイジェスト情報提供装置を利用するユーザーは、事前にユーザー自身のプロファイルに関する情報をユーザー情報テーブルとしてユーザー情報作成部１２４において作成し（Ｓ３４）、ユーザー情報サーバー１１３に登録する必要がある。図５にユーザー情報テーブルの例を示す。図５においてユーザーを識別するユーザーＩＤがＵｓｒ００１のユーザーは、ユーザー認証のためのパスワードがＸＸＸで、興味のある商品ジャンルは車とタバコで、視聴したい番組ジャンルは経済ニュースとスポーツで、好きな番組出演者はチームＡの選手Ｂであることが示されている。また図５に図示されていないが、それぞれの嗜好データ毎に嗜好の程度を示す度合いを記録し、後述する配信すべきＣＭコンテンツ及びダイジェスト情報の確定時に選択の重み付けデータをして利用してもよいとする。
【００２７】
尚、ユーザー情報テーブルに記述されるデータにおいても、図５に示す項目内容に限定されるものではなく上記以外のデータが記述されてもよいものとする。
【００２８】
次に、ダイジェスト情報サーバー１１１のダイジェスト情報作成部１１８において、本編コンテンツのダイジェスト情報を作成する（Ｓ３５）。本発明におけるダイジェスト情報とは、図６及び図８に示すような番組の構成に関するコーナー情報や、内容的に重要なハイライト場面に関する情報である。一般に番組コンテンツの制作者はこれらの情報を作成するのに十分な情報を持ち合わせているので、番組コンテンツの制作時に使用した番組構成表などを用いることによって手作業によってでも多様でかつ高い精度のダイジェスト情報が作成できると考えられる。従って、本発明の番組ダイジェスト情報提供装置において本編コンテンツのダイジェスト情報は、番組コンテンツの制作者によって然るべき任意の手段及び方法で制作されるもので、その制作手段や制作方法については本発明の構成において制約するものではない。図６にダイジェスト情報の第１の例を示す。図６においては、ダイジェスト情報の対象となる本編コンテンツのコンテンツＩＤがＣｎｔ０００１で、その番組のタイトル名が“ＸＸＸニュース”であって、各ニュース項目やＣＭ、お天気コーナーやスポーツコーナーなど当該ニュース番組の構成内容毎にそれぞれの開始及び終了時間のデータが時系列にて記述されている。また図８にダイジェスト情報の第２の例を示す。図８においては、ダイジェスト情報の対象となる本編コンテンツのコンテンツＩＤがＣｎｔ０００２で、その番組のタイトル名が“プロ野球中継  チームＡ  対  チームＣ“であって、野球の試合の進行に伴う時間データや試合中の重要な場面の時間データが時系列にて記述されている。
【００２９】
以上のＳ３１からＳ３５までのステップは、本発明の番組ダイジェスト情報提供装置の主たる動作を行うための事前段階の動作であって、その動作の順番は必ずしも図２に示すものでなくてもよい。
【００３０】
これら事前段階の動作が終了することによって、ユーザー端末１０３のダイジェスト情報取得要求が可能となり、番組ダイジェスト情報の提供装置１０１において必要な動作を行った後にダイジェスト情報がユーザー端末１０３に配信される（Ｓ３６）。但しここでの動作は番組ダイジェスト情報の提供装置１０１内の複数のサーバーが関係するので、別図を用いて後述する。
【００３１】
最後にユーザー端末１０３に配信されたダイジェスト情報は、ユーザー端末１０３における本編コンテンツのダイジェスト再生において活用され（Ｓ３７）、番組コンテンツ中の特定区間の選択再生や重要な場面への頭だし再生が可能となる。また本実施例においては特にその動作を限定しないが、配信されたダイジェスト情報の元となる番組本編のコンテンツデータはダイジェスト情報の配信とは別に本編コンテンツサーバー１１０よりユーザー端末１０３に配信されるか、またはネットワーク１０２を介さず別途放送電波によりユーザー端末に送信されてもどちらでもよいものとする。
【００３２】
図３は、図２に示す本発明の番組ダイジェスト情報提供装置の動作フローにおけるダイジェスト情報の要求から配信までのステップ（Ｓ３６）の詳細な動作について、複数サーバー間でのデータおよびコマンドの流れを示すものである。
【００３３】
以下に図３に従って上記の詳細な動作について説明する。
【００３４】
まず最初にユーザー端末１０３からアクセスサーバー１１６に対し、本発明のダイジェスト情報提供装置１０１へのログイン要求をユーザーＩＤ及びパスワードを送信することによって行う（Ｓ０１）。アクセスサーバー１１６は、そのログイン要求を端末要求処理部１２８において受信し、ユーザー情報サーバー１１３に対し、ログイン要求のあったユーザーＩＤ及びパスワードが登録されているものか問い合わせる（Ｓ０２）。ユーザー情報サーバー１１３は、ユーザー情報蓄積部１２３に蓄積されている図５に示すユーザー情報テーブルを参照することによってユーザー認証を行い、登録ユーザーからのログイン要求であればログイン許可の応答をアクセスサーバー１１６に行う（Ｓ０３）。アクセスサーバー１１６は、そのログイン許可の応答をログイン要求のあったユーザー端末１０３に行い（Ｓ０４）、以上のユーザー認証が成立することによって以降の処理が可能となる。
【００３５】
次にユーザー端末１０３は、ダイジェスト情報の提供を該当する本編コンテンツのコンテンツＩＤをアクセスサーバー１１６に送信することによって行う（Ｓ０５）。するとアクセスサーバー１１６は、まず最初にダイジェスト情報要求のあったユーザー端末１０３にＣＭを配信するための処理をアプリケーションサーバー１１５が行うように要求する（Ｓ０６）。そこでアプリケーションサーバー１１５のユーザー情報分析部１２７は、ユーザーの嗜好にあったＣＭを配信するために、ダイジェスト情報要求のあったユーザーＩＤのユーザー情報の取得要求をユーザー情報サーバー１１３に対し行う（Ｓ０７）。
【００３６】
その要求に対しユーザー情報サーバー１１３は、ユーザー情報蓄積部１２３に蓄積されている図５に示すユーザー情報テーブルより該当するユーザーＩＤのユーザー情報をアプリケーションサーバー１１５に送信する（Ｓ０８）。以降の説明のため本実施例においては、ダイジェスト情報要求のあったユーザーＩＤが図５のユーザー情報テーブルにおける“Ｕｓｒ００１”であったとし、嗜好商品ジャンルが車とタバコで嗜好番組ジャンルが経済ニュースとスポーツで嗜好出演者がチームＡと選手Ｂという情報がアプリケーションサーバー１１５のユーザー情報分析部１２７に送信されるとする。
【００３７】
次にアプリケーションサーバー１１５は配信コンテンツ作成部１２６において、ダイジェスト情報要求のあったコンテンツＩＤに関連するＣＭ配信テーブルの取得要求をＣＭコンテンツサーバー１１２に対し行う（Ｓ０９）。その要求に対しＣＭコンテンツサーバー１１２は、ＣＭ配信テーブル管理部１２０に蓄積されている図４に示すＣＭ配信テーブル中で該当するコンテンツＩＤが付随コンテンツとして登録されているＣＭＩＤとその商品ジャンル情報をアプリケーションサーバー１１５の配信コンテンツ作成部１２６に送信する（Ｓ１０）。本実施例においては、ダイジェスト情報要求のあったコンテンツＩＤが図５のユーザー情報テーブルにおける“Ｃｎｔ０００１”であったとし、該当するＣＭＩＤとそれぞれの商品ジャンルが”ＣＭ００１：車”、“ＣＭ００２：化粧品”、”ＣＭ００３：お菓子”、“ＣＭ００４：タバコ”であるという情報がアプリケーションサーバー１１５の配信コンテンツ作成部１２６に送信される。
【００３８】
アプリケーションサーバー１１５の配信コンテンツ作成部１２６は、以上の２回の問い合わせ要求の応答情報より、ユーザー端末に配信するＣＭＩＤを確定する（Ｓ１１）。本実施例においては、ユーザーＩＤ“Ｕｓｒ００１”の嗜好商品ジャンルは車とタバコであるので、該当するＣＭＩＤは”ＣＭ００１”と“ＣＭ００４”ということになる。
【００３９】
配信すべきＣＭＩＤが確定するとアプリケーションサーバー１１５の配信コンテンツ作成部１２６は該当するＣＭＩＤと配信すべきユーザーＩＤをＣＭコンテンツサーバー１１２に送信し、ＣＭコンテンツの配信要求を行う（Ｓ１２）。ＣＭコンテンツサーバー１１２は受信したＣＭＩＤに該当するＣＭコンテンツデータをＣＭコンテンツ蓄積部１２１より読み出し、ユーザーＩＤとともにコンテンツ配信サーバー１１４に送信し、ユーザー端末１０３への配信処理要求を行う（Ｓ１３）。
【００４０】
コンテンツ配信サーバー１１４は、受信したＣＭコンテンツデータに対し、ネットワーク１０２を介してユーザー端末１０３に配信するために必要となるデータ符号化や暗号化処理などをコンテンツ配信処理部１２５において施した後、ユーザー端末１０３にＣＭコンテンツデータを配信する（Ｓ１４）。
【００４１】
特に、ユーザー端末１０３においてＣＭコンテンツが再生されたか否かを番組ダイジェスト情報の提供装置１０１で正確に把握することは、本発明の構成によるビジネスモデルが成立するための重要なポイントである。
【００４２】
従って本実施例においては、コンテンツ配信処理部１２５において配信するＣＭコンテンツデータ中の任意の時間位置に電子透かし情報を埋め込む処理を施すものとする。
【００４３】
埋め込む情報としては、配信するＣＭデータのＣＭＩＤ、配信するユーザーのユーザーＩＤの他に、ユーザー端末１０３との通信に関する、端末情報、日時情報、セッション情報などの中から少なくとも１つ、またはいずれか複数の組み合わせで作成するものとする。
【００４４】
または電子透かし情報の代わりに、配信するＣＭコンテンツデータの最後にＣＭ内容に関してユーザーの関心度や評価を入力するデータを追加してもよいものとする。
【００４５】
ユーザー端末１０３は、受信したＣＭコンテンツデータを再生し（Ｓ１５）、再生が完了するとＣＭ再生完了通知をアクセスサーバー１１６に送信する（Ｓ１６）。
【００４６】
ＣＭ再生完了通知は、先述の電子透かし情報をユーザー端末１０３で読み取った結果または、ＣＭコンテンツデータに関するユーザ−からの返答データとし、これらをもってユーザー端末１０３でＣＭデータが正しく再生されたかを証明するものとする。
【００４７】
アクセスサーバー１１６は、端末ステイタス認証部１２９においてユーザー端末１０３から送信されたＣＭ再生完了通知を認証すると、アプリケーションサーバー１１５に対し、ＣＭに続いてユーザー端末１０３に送信するダイジェスト情報の作成要求を送信する（Ｓ１７）。
【００４８】
するとアプリケーションサーバー１１５は、ユーザーの嗜好にあったダイジェスト情報を配信するために、ダイジェスト情報要求のあったコンテンツＩＤのダイジェスト情報の取得要求をダイジェスト情報サーバー１１１に対し行う（Ｓ１８）。その要求に対しダイジェスト情報サーバー１１１は、ダイジェスト情報蓄積部１１９に蓄積されている図６及び図８に示すダイジェスト情報テーブルより該当するコンテンツＩＤのダイジェスト情報を読出し、アプリケーションサーバー１１５に送信する（Ｓ１９）。本実施例においては、ダイジェスト情報要求のあったコンテンツＩＤが“Ｃｎｔ０００１”であった場合は図６に示すダイジェスト情報が送信され、またコンテンツＩＤが“Ｃｎｔ０００３”であった場合は図８に示すダイジェスト情報が送信される（Ｓ１９）。
【００４９】
次にアプリケーションサーバー１１５は、Ｓ１８で受信したユーザー情報とＳ１９で受信したダイジェスト情報より、ユーザー端末に配信するダイジェスト情報を確定する（Ｓ２０）。本実施例においては、ユーザーＩＤ“Ｕｓｒ００１”の嗜好番組ジャンルは経済ニュースとスポーツであり、嗜好出演者はチームＡと選手Ｂであることを考慮し、ダイジェスト情報要求のあったコンテンツＩＤが“Ｃｎｔ０００１”であった場合は図６に示すダイジェスト情報から図７に示すように経済ニュースとスポーツニュースに関するダイジェスト情報のみを抽出する。またダイジェスト情報要求のあったコンテンツＩＤが“Ｃｎｔ０００３”であった場合は図８に示すダイジェスト情報から図９に示すようにチームＡの攻撃場面と選手Ｂがホームランを打った場面に関するダイジェスト情報のみを抽出する。
【００５０】
配信すべきダイジェスト情報が確定するとアプリケーションサーバー１１５は該当するダイジェスト情報と配信すべきユーザーＩＤをコンテンツ配信サーバー１１４に送信し、ユーザー端末１０３への配信処理要求を行う（Ｓ２１）。
【００５１】
尚以上の説明では、ユーザー端末１０３でのＣＭ再生完了通知を待ってユーザー端末１０３に配信するダイジェスト情報の作成を行うことになるが、ユーザー端末１０３でのＣＭコンテンツ再生後の応答を早くするために、アプリケーションサーバー１１５の配信コンテンツ作成部１２６において配信ＣＭの確定（Ｓ１１）後直ちにダイジェスト情報の要求（Ｓ１８）を行って配信ダイジェスト情報確定（Ｓ２０）までの動作を行い、ＣＭ再生完了通知を待ってコンテンツ配信サーバー１１４に配信処理要求を行う（Ｓ２１）ものであってもよいとする。
【００５２】
コンテンツ配信サーバー１１４は、受信したダイジェスト情報に対し、ネットワーク１０２を介してユーザー端末１０３に配信するために必要となるデータ符号化や暗号化処理などをコンテンツ配信処理部１２５において施した後、ユーザー端末１０３にダイジェスト情報を配信する（Ｓ２２）。
【００５３】
以上がダイジェスト情報の要求から配信までの動作フローの詳細な説明である。
【００５４】
最後に本発明の番組ダイジェスト情報の提供装置によるビジネスモデルを図１０を参照して説明する。図１０において企業Ａはコンテンツ制作者であり、本発明の番組ダイジェスト情報の提供装置１０１を構成する本編コンテンツサーバー１１０を含む７つのサーバーを運営し、エンドユーザーに対し番組コンテンツやＣＭコンテンツの配信を行う本発明のビジネスモデルの中心的役割を果たす存在である。また企業群Ｂは企業Ａが制作する番組コンテンツのスポンサーとなっている複数の企業であり、自社の商品及びサービスの宣伝情報をＣＭコンテンツとして企業Ａがエンドユーザーに配信する対価として広告料を企業Ａに支払っている。
【００５５】
先に図３を用いて説明した通り、エンドユーザーは提供されたＣＭコンテンツを視聴しなければ要求したダイジェスト情報を入手することはできないが、提供されたＣＭコンテンツは個人の嗜好を考慮したものであるので、エンドユーザーにとっては有益な情報として高い関心を持ってＣＭを視聴すると考えられ、さらに自らの嗜好を考慮した番組本編のダイジェスト情報が得られるという利点がある。
【００５６】
またこのことは、ＣＭコンテンツを提供するスポンサーである企業群Ｂにとっては広告効率の高い広告情報の提供方法であるのでダイジェスト情報の提供に対して広告料を支払うと考えられ、同時にコンテンツ提供者である企業Ａにとってはダイジェスト情報そのものが新たな広告料の収入源として見込めることができる。
【００５７】
従って、個人のプロファイル情報を提供するエンドユーザーと広告料を支払う企業群Ｂとコンテンツを制作し提供する企業Ａの間においてそれぞれに合理的な利点のあるビジネスモデルが成立すると考えられる。
【００５８】
以上が本発明の番組ダイジェスト情報の提供装置によるビジネスモデルの概要である。
【産業上の利用可能性】
【００５９】
本発明にかかる番組ダイジェスト情報の提供装置は、ＣＭによる広告収入によって収益を得てエンドユーザーには無料でコンテンツを提供しているビジネスモデルにおいて、コンテンツ制作者が作成する多様で高精度な番組ダイジェスト情報をエンドユーザーに提供できるような装置または方法を提供できるものとして有用である。
【図面の簡単な説明】
【００６０】
【図１】本発明の実施の形態１における番組ダイジェスト情報の提供装置及びユーザー端末のブロック図
【図２】本発明の実施の形態１における番組ダイジェスト情報の提供装置の動作フローチャート
【図３】本発明の実施の形態１における番組ダイジェスト情報の提供装置のダイジェスト情報の要求から配信までの動作フローチャート
【図４】本発明の実施の形態１におけるＣＭ配信テーブルの内容を示す図
【図５】本発明の実施の形態１におけるユーザー情報テーブルの内容を示す図
【図６】本発明の実施の形態１におけるダイジェスト情報の第１の例の内容を示す図
【図７】本発明の実施の形態１におけるユーザー端末に配信されるダイジェスト情報の第１の例の内容を示す図
【図８】本発明の実施の形態１におけるダイジェスト情報の第２の例の内容を示す図
【図９】本発明の実施の形態１におけるユーザー端末に配信されるダイジェスト情報の第２の例の内容を示す図
【図１０】本発明の実施の形態１に関するビジネスモデルの関係図
【符号の説明】
【００６１】
１０１    番組ダイジェスト情報の提供装置
１０２    公衆回線または専用回線によるネットワーク
１０３    ユーザー端末
１１０    本編コンテンツサーバー
１１１    ダイジェスト情報サーバー
１１２    ＣＭコンテンツサーバー
１１３    ユーザー情報サーバー
１１４    コンテンツ配信サーバー
１１５    アプリケーションサーバー
１１６    アクセスサーバー
１１７    本編コンテンツ蓄積部
１１８    ダイジェスト情報作成部
１１９    ダイジェスト情報蓄積部
１２０    ＣＭ配信テーブル管理部
１２１    ＣＭコンテンツ蓄積部
１２３    ユーザー情報蓄積部
１２４    ユーザー情報作成部
１２５    コンテンツ配信処理部
１２６    配信コンテンツ作成部
１２７    ユーザー情報分析部
１２８    端末要求処理部
１２９    端末ステイタス認証部
１３０    システム制御部
１３１    コンテンツ再生部
１３２    コンテンツ蓄積部
１３３    ユーザー操作情報処理部
１３４    ネットワークＩＦ部
【図１】
2006005725.tif 000003
【図２】
2006005725.tif 000004
【図３】
2006005725.tif 000005
【図４】
2006005725.tif 000006
【図５】
2006005725.tif 000007
【図６】
2006005725.tif 000008
【図７】
2006005725.tif 000009
【図８】
2006005725.tif 000010
【図９】
2006005725.tif 000011
【図１０】
2006005725.tif 000012